(57)【要約】      （修正有）【課題】地球温暖化防止対策のため、最小のエネルギーコストで最大の省エネ効果が得られる冷房冷凍方法や技術の開発が急務となっている。【解決手段】数種類のカルボキシル基を配位子としたナトリューム錯体と数種類の安定剤を溶解し機能錯体溶液とし、繊維質材料に含浸させるかまたは金属やプラスチックやセラミックにコーティングした部材をネットまたはチップ状にし、当該ネットまたはチップを冷房冷凍装置の吸気フィルターに取り付け、そこから発振される遠赤外線領域の共鳴電磁波により、フィルター通過空気中水分の水素結合を分離させて空気を活性化し、活性化した空気から発振されるテラヘルツ波様共鳴電磁波で、冷房冷凍装置内部に付着する水中の水分子の水素結合を分離し、活性化された空気中への水蒸気の蒸散を活発にし、その気化熱を利用して冷房及び冷凍効率を高める冷却補助部材を提供する。【選択図】図２
2011237044.tif 000002
【特許請求の範囲】
【請求項１】
数種類のカルボキシル基を配位子としたナトリューム錯体と複数の安定剤を混合し、濃度を調節した機能錯体溶液を繊維質材料に含浸または金属やプラスチックやセラミック材料にコーティングした部材をネットやチップ状にし、冷房及び冷凍装置の吸気側に取り付け、当該ネットやチップの機能錯体から発振されるテラヘルツ波様の共鳴電磁波で、冷房冷凍装置内部の水分の水素結合を共振励起し分離することにより、低温での液相から気相への蒸散を促進し、冷房冷凍用空気から気化熱を奪うことにより、冷房冷凍装置の冷却効率を向上させることを特徴とする冷却補助部材。
【請求項２】
請求項１に記載のカルボキシル基で、りんご酸及び乳酸のカルボキシル基を配位子の一つとすることを特徴とする請求項１の冷却補助部材。
【請求項３】
請求項１及び請求項２に記載の機能錯体を含浸またはコーティングした部材に、電気伝導度の高い物質を近づけて一定時間放置し、当該物質にテラヘルツ波を転写することにより、請求項１および請求項２と同等の作用を有することを特徴とする冷却補助部材。
【発明の詳細な説明】
【技術分野】
【０００１】  本発明は、テラヘルツ領域の共鳴電磁波を発振するナトリューム機能錯体溶液を含浸させた繊維質材料またはコーティングした金属やプラスチックやセラミック材料のネットまたはチップ状の部材を冷房及び冷凍装置の空気の取り入れ側に取り付けることにより、冷房及び冷凍装置の冷却効率を高める冷却補助部材に関するものである。
【背景技術】
【０００２】  従来、冷房及び冷凍装置の効率を高める方法として、冷媒側を工夫して冷凍サイクルの効率を高める方法が数多く提案されている。
例えば、特許公開  ２００６−３００３４１
特許公開  ２００８−２４１１９５
特許公開  ２００２−２４３２１７【０００３】  また冷凍装置は、霜の発生により冷却効果や作業効率が低下する。それを防ぐために除霜装置を取り付け、定期的に除霜を行っているが、逆に冷凍効率を低下させている。
【発明の開示】
【発明が解決しようとする課題】
【０００４】  しかし、従来の冷媒側を工夫して冷凍サイクルの効率を改善する方法では、大幅な冷凍及び冷房の効率改善を実現することは難しく、また既存の冷凍及び冷房装置への応用も難しかった。【０００５】  また、定期的に除霜を行うことにより冷凍効率を高める方法も実施されている場合が多いが、除霜に必要な加熱エネルギーが、逆に冷凍効率を低下させる場合もある。
【課題を解決するための手段】
【０００６】  このような課題を解決するために本発明者は、数種類のカルボキシル基を配位子としたナトリューム錯体と数種類の安定剤を溶解した機能錯体溶液を繊維質材料に含浸させるかまたは金属やプラスチックやセラミック材料にコーティングすることにより、当該機能錯体を含浸またはコーティングした部材からテラヘルツ波様の共鳴電磁波が発振され、空気中の水分や水の水素結合を分離し、空気や水を活性化することを見出し、本発明をなすに至った。【０００７】  すなわち、上記課題を解決するために本発明では、りんご酸や乳酸を含む数種類のカボキシル基を配位子としたナトリューム錯体と数種類の安定剤を溶解した機能錯体溶液を繊維質材料に含浸させるかまたは金属やプラスチックやセラミック材料にコーティングすることにより、５〜１０テラヘルツの遠赤外線領域の共鳴電磁波を発振させ、テラヘルツ帯固有振動数を有する空気中の水分子の回転運動を励起し、水分子同士の水素結合を分離させ、当該水素結合から電子を空気中に放出する作用を有する機能錯体を含浸またはコーティングした部材が得られる。【０００８】  上記のように機能錯体を含浸またはコーティングした部材のネットまたはチップから放射されるテラヘルツ波で空気中の水蒸気の水素結合を共振励起し、水素結合を分離することによりテラヘルツ波に共振した電子が空気中に放出され、水蒸気の水分子が単分子化し、空気が活性化し、その結果、過飽和状態での水蒸気を安定して空気中に含むことができるようになる。【０００９】  また、当該機能錯体を含浸またはコーティングした部材のネットまたはチップにより活性化した空気に接触した水分は、水素結合が分離され単分子化されることにより、液相から気相への相変化が活発になり、常温での蒸散が促進され、気化熱を奪い、冷房及び冷凍用空気の温度を降下させ、冷却効率を高める。【００１０】  また本発明の請求項３によれば、当該機能錯体を含浸またはコーティングした部材周辺に電気伝導度の高い物質を近づけて一定時間放置することにより、当該伝導体にテラヘルツ波を転写することができ、当該機能錯体を含浸またはコーティングした部材のネットまたはチップと同等の作用を有する冷却補助部材とすることができる。
【発明の効果】
【００１１】  本発明のリンゴ酸及び乳酸を含む複数のカルボキシル基を配位子としたナトリューム錯体の溶液を含浸またはコーティングした部材によれば、効果が明確で、持続性の高いテラヘルツ波様の共鳴電磁波を放射し、空気中や水の水分子の水素結合を分離し、空気および水を活性化することにより、簡便で汎用性のある冷房及び冷凍装置の効率を向上させる冷却補助部材を低コストで提供できる。【００１２】  また、本発明の冷却補助部材を通過した冷却用空気中の水素結合を分離された水分は単分子化し、回転運動が共振励起されるため、気体から固体への相変化が起こりにくく、霜や大きな塊での結氷が発生しにくくなる。その結果除霜作業が不要または減少し、冷凍効率を高めることができる。【００１３】  さらに、本発明の冷却補助部材を通過したテラヘルツ波に共振励起された冷却用空気から発振される共鳴電磁波で、冷房及び冷凍装置の内部の水の水素結合が分離され、水分は単分子化し、回転運動が共振励起されるため、液体から気体への相変化が活発化し、低温での水分の蒸散が促進され、冷却用空気から気化熱を奪い、その結果、冷却効率を高めることができる。【００１４】  また、通常の冷房装置の場合、室内空気の湿度を下げるため肌がかさかさする問題があったが、本発明の冷却補助部材を使用した場合、水素結合が分離され活性化した水分が、冷却用空気内に蒸散補給されるため、適度な湿度が保たれ、美容効果がある。
【発明を実施するための最良形態】
【００１５】以下、本発明の実施形態について図面を参照しながら詳細に説明する。
図１は、冷却補助部材による空気の改質作用の概念を示す。
図２は、冷却補助部材を組み込んだ冷房及び冷凍装置の断面図を示す。
図３は、図２のＡ−Ａ矢視を示す。
【００１６】  図１に示すように、ナトリューム機能錯体溶液を含浸またはコーティングした部材の冷却補助部材２を、改質前空気１が通過すると、当該冷却補助部材２から発振される改質前空気１の中の水分子の固有振動数と共振するテラヘルツ波様の共鳴電磁波で、改質前空気１の中の水分子の水素結合が分離し、電子を改質前空気１に放出し、改質後空気３となる。
【００１７】  図２は、冷房及び冷凍装置１１の概念を示す断面図で、送風装置４により、改質前空気１は冷房及び冷凍装置１１内に吸引される。冷却補助部材２を通過した改質前空気１は当該冷却補助部材２から発振されるテラヘルツ波様の共鳴電磁波で励起放出された電子を含んだ改質後空気３となり、テラヘルツ波様の共鳴電磁波７を発振する。
【００１８】  冷凍冷房装置１１の内部の特に熱交換装置５の外側には水分が結露し易く、水滴６が常に存在する。水滴６は改質後空気３が発振するテラヘルツ波７により水分子の水素結合が励起共振され分離し、液体から気体への相変化が活発化し、低温での水分の気化８が促進され、熱交換装置５で冷却された改質後空気３から、さらに気化熱を奪い冷却用空気９となり、空気吹き出し口１０から室内や冷凍庫内に供給される。
【００１９】  さらに、本発明の冷却補助部材２を通過したテラヘルツ波に共振励起された改質後空気３の水蒸気の水素結合が分離され単分子化することで過飽和や過冷却でも安定した水蒸気として冷却用空気９の中に存在し、霧氷現象やフリージングレイン現象のように、霜や大きな塊での結氷が発生しにくくなる。その結果除霜作業が不要または減少し、冷凍効率を高めることができる。
【００２０】  通常、水は単分子ではなく、水分子同士を水素が結合し、クラスターを構成し、回転運動をしている。その水分子同士の水素結合は比較的弱い結合で、その固有振動数の７〜８テラヘルツの電磁波により、空気中の水分の水素結合が励起され、回転運動が激しくなり、水素結合が分離されることが、本発明の効果の出発点と考えられる。本発明のナトリューム機能錯体を含浸またはコーティングした部材のネットまたはチップの発振する遠赤外線領域の共鳴電磁波で、空気中の水分の水素結合が共振分離され、水素結合から放出された電子を、空気中の窒素の外殻に取り込むことによりマイナスイオン化されたと推定される現象や、この遠赤外線領域の共鳴電磁波で励起された空気を水に通すか接触させることにより生じたとされる現象が、長期間にわたり安定的に継続することも数多く確認されている。この、事実は本発明の機能錯体が、光波や電磁波のエネルギーを吸収して、テラヘルツ波発振能力を持続再生するためと推測される。
【実施例】
【００２１】  本発明を実施した場合、下記の３要素が組み合わされて効果を発揮することが実証例から証明される。
（１）ナトリューム機能錯体を含浸またはコーティングした冷却補助部材２が遠赤外線領      域テラヘルツ帯（５〜１０ＨＴｚ）の共鳴電磁波を発振している。（ＴＨ効果）
（２）上記のテラヘルツ帯共鳴電磁波で、空気中水蒸気の水素結合が共鳴励起され分離し      、電子が空気中に放出される。（ｅ−効果）
（３）上記のテラヘルツ帯共鳴電磁波で水や水滴の水素結合が分離され、液相から気相へ      の相変化が活発化され、常温での蒸散が促進され気化熱を奪い周辺温度を下げる。      （Ｈ＋効果）【００２２】  テラヘルツ波様の共鳴電磁波を発振する機能錯体を含浸またはコーティングした部材のネットの代わりに、図３に示すように、１０〜１５ｃｍ間隔で千鳥格子状に約１５ｍｍ角形または直径１５ｍｍの円形の当該機能錯体チップを吸気フィルターに取り付けることにより、同様の冷却効率向上の効果が得られる。
【産業上の利用可能な分野】
【００２３】  本活発明は、前述の３つの要素を組み合わせて得られる効果により、生鮮食品の貯蔵や輸送、住宅やビルの空調ばかりでなく、自動販売機、医療・健康美容分野、農水蓄産業分野、環境保全分野を含めた様々な工業分野に利用できる。
【図面の簡単な説明】
【００２４】
【図１】は、冷却補助部材による空気の改質作用の概念を示す。
【図２】は、冷却補助部材を組み込んだ冷房及び冷凍装置の断面図を示す。
【図３】は、図２のＡ−Ａ矢視を示す。
【符号の説明】
【００２５】  １    改質前空気
２    冷却補助部材
３    改質後空気
４    送風装置
５    熱交換装置
６    水滴
７    テラヘルツ波
８    気化
９    冷却用空気
１０  空気吹き出し口
１１  冷房及び冷凍装置
１２  機能錯体チップ
【図１】
2011237044.tif 000003
【図２】
2011237044.tif 000004
【図３】
2011237044.tif 000005